【手続補正書】
【提出日】平成25年1月25日(2013.1.25)
【手続補正１】
【補正対象書類名】特許請求の範囲
【補正対象項目名】全文
【補正方法】変更
【補正の内容】
【特許請求の範囲】
【請求項１】
側壁を特徴とするワゴンの収納バッグシステムにおいて、
ａ）前記ワゴンの側壁に接続し、且つ拡張した形態と折り畳んだ形態との間にて可動であるようにされた折畳み式収納バッグと、
ｂ）前記折畳み式収納バッグを前記ワゴンの前記側壁に装着するコネクタとを備える、収納バッグシステム。
【請求項２】
請求項１に記載の収納バッグシステムにおいて、前記折畳み式収納バッグは、後側パネルと、カバーとを含み、前記折畳み式収納バッグの前記後側パネルには、コネクタが設けられ、前記後側パネル及びカバーは、ヒンジと、ジッパが設けられた側部端縁及び頂部端縁とにより接続された底部端縁を特徴とし、折り畳んだ形態にある折畳み式収納バッグに相応する、前記ジッパが閉じた状態にあるとき、前記折畳み式収納バッグの他の部分が前記後側パネルとカバーとの間に保持され、前記ジッパが開いた状態にあるとき、前記後側パネル及び前記折畳み式収納バッグの前記他の部分に対して回動する前記カバーは、拡張して、前記折畳み式収納バッグを拡張した形態に配置するようにした、収納バッグシステム。
【請求項３】
請求項２に記載の収納バッグシステムにおいて、前記コネクタは、前記折畳み式収納バッグの前記後側パネル上に配置されたノブコネクタを含み、該ノブコネクタは、前記ワゴンの前記側壁上に配置された相応するスロットコネクタと係合し得るようにした、収納バッグシステム。
【請求項４】
請求項１に記載の収納バッグシステムにおいて、前記ワゴンの前記側壁の回りに少なくとも部分的に巻かれるフラップを含むシートパッドを更に備える、収納バッグシステム。
【請求項５】
請求項４に記載の収納バッグシステムにおいて、前記シートパッドは、締結装置を含む上側フラップと、下側フラップとを含み、これにより、前記上側及び下側フラップは、前記ワゴンの前記側壁の回りにて互いに固定することができる、収納バッグシステム。
【請求項６】
請求項１に記載の収納バッグシステムにおいて、前記折畳み式収納バッグは、上側部分と、下側部分とを更に含み、該下側部分は、アクセサリバッグの前記下側部分が拡張した形態に拡張し、且つ折り畳んだ形態に縮退することを許容する閉鎖要素を含む、収納バッグシステム。
【請求項７】
請求項６に記載の収納バッグシステムにおいて、前記閉鎖要素は、前記折畳み式収納バッグの前記下側部分の回りに巻かれるスパイラルジッパを含む、収納バッグシステム。
【請求項８】
請求項６に記載の収納バッグシステムにおいて、前記ワゴンの第二の側壁と係合し得るようにしたアクセサリバッグを更に備え、該アクセサリバッグは、少なくとも１つのボトルホルダを含む、収納バッグシステム。
【請求項９】
請求項８に記載の収納バッグシステムにおいて、前記アクセサリバッグは、その間に中央通路が配置された１対のボトルホルダを含み、該中央通路は、前記ワゴンのハンドルを受け入れ得るようにした、収納バッグシステム。
【請求項１０】
請求項１に記載の収納バッグシステムにおいて、前記折畳み式収納バッグは、蓋と、後壁と、底部とを含み、前記収納バッグシステムは、
ｃ）前記折畳み式収納バッグの底部に装着されて、前記折畳み式収納バッグの前記折り畳んだ形態に相応する上昇位置と、前記折り畳み式収納バッグの前記拡張した形態に相応する、下降位置との間にて回動し得るように前記ワゴンに回動可能に装着し得るようにした、回動フレームと、
ｄ）前記折畳み式収納バッグの前記蓋に装着した蓋締結具と、
ｅ）前記折畳み式収納バッグの前記後壁に装着した後壁締結具と、
ｆ）前記折畳み式収納バッグの前記底部に装着した底部締結具と、を更に備え、
ｇ）前記蓋締結具は、前記底部締結具と係合し、前記折畳み式収納バッグを折り畳んだ形態に固定し得るようにされ、前記蓋締結具は、前記折畳み式収納バッグが拡張した形態にあるとき、前記後壁締結具と係合し得るようにされた、収納バッグシステム。
【請求項１１】
請求項１０に記載の収納バッグシステムにおいて、前記折畳み式収納バッグは、前記蓋締結具及び前記後壁締結具が係合したとき、前記開いた頂部を塞ぎ得るようにした前記蓋を有する開いた頂部を含む、収納バッグシステム。
【請求項１２】
請求項１０に記載の収納バッグシステムにおいて、前記蓋締結具は、挿入バックルであり、前記後壁及び底部締結具は、受け入れバックルである、収納バッグシステム。
【請求項１３】
請求項１０に記載の収納バッグシステムにおいて、前記回動フレームは、全体としてＵ字形である、収納バッグシステム。
【請求項１４】
請求項１０に記載の収納バッグシステムにおいて、前記回動フレームは、回動する態様にて前記ワゴンの後車軸と係合し得るようにした少なくとも１つのスリーブを含む、収納バッグシステム。
【請求項１５】
請求項１０に記載の収納バッグシステムにおいて、前記回動フレームは、回動する態様にて前記ワゴンの後車軸と係合し得るようにした少なくとも１つの全体としてＣ字形の端部分を含む、収納バッグシステム。
【請求項１６】
請求項１０に記載の収納バッグシステムにおいて、前記折畳み式収納バッグの前記底部は、前記回動フレームを受け入れ得るようにしたポケットを含む、収納バッグシステム。
【請求項１７】
請求項１０に記載の収納バッグシステムにおいて、前記回動フレームは、下降位置にあるとき、前記ワゴンと係合して前記回動フレームの回動を制限するようしたストッパを含む、収納バッグシステム。
【請求項１８】
請求項１０に記載の収納バッグシステムにおいて、前記折畳み式収納バッグは、フラップを含み、前記折畳み式収納バッグを前記ワゴンの前記側壁に固定するコネクタは、前記フラップに形成された穴と、該穴を貫通し且つ前記ワゴンの前記側壁と係合し得るようにした締結具とを含む、収納バッグシステム。
【請求項１９】
ワゴンにおいて、
ａ）側壁を有する本体と、
ｂ）前記本体に固定された複数の車輪と、
ｃ）拡張した形態と折り畳んだ形態との間にて可動である折畳み式収納バッグと、
ｂ）前記折畳み式収納バッグを前記ワゴンの前記側壁に装着するコネクタとを備える、
ワゴン。
【請求項２０】
請求項１９に記載のワゴンにおいて、前記折畳み式収納バッグは、後側パネルと、カバーとを含み、前記折畳み式収納バッグの前記後側パネル及び前記ワゴンの前記側壁には、コネクタが設けられ、前記後側パネル及びカバーは、ヒンジと、ジッパが設けられた側部端縁及び頂部端縁とにより接続された底部端縁を特徴とし、折り畳んだ形態にある折畳み式収納バッグに相応する、前記ジッパが閉じた状態にあるとき、前記折畳み式収納バッグの他の部分が前記後側パネルとカバーとの間に保持され、前記ジッパが開いた状態にあるとき、前記後側パネル及び前記折畳み式収納バッグの前記他の部分に対して回動する前記カバーは、拡張して、前記折畳み式収納バッグを拡張した形態に配置するようにした、ワゴン。
【請求項２１】
請求項２０に記載のワゴンにおいて、前記コネクタは、ノブコネクタと、前記折畳み式収納バッグの前記後側パネルと、前記ワゴンの前記側壁との間に配置されたスロットコネクタとを含む、ワゴン。
【請求項２２】
請求項２１に記載のワゴンにおいて、前記ノブコネクタは、前記折畳み式収納バッグの前記後側パネルに装着され、前記スロットコネクタは、前記ワゴンの前記側壁と接続される、ワゴン。
【請求項２３】
請求項１９に記載のワゴンにおいて、前記ワゴンの前記側壁の回りに少なくとも部分的に巻かれるフラップを含むシートパッドを更に備える、ワゴン。
【請求項２４】
請求項２３に記載のワゴンにおいて、前記シートパッドは、締結装置を含む上側フラップと、下側フラップとを含み、これにより、前記上側及び下側フラップは、前記ワゴンの前記側壁の回りにて互いに固定される、ワゴン。
【請求項２５】
請求項１９に記載のワゴンにおいて、前記折畳み式収納バッグは、上側部分と、下側部分とを更に含み、該下側部分は、アクセサリバッグの前記下側部分が拡張した形態に拡張し、且つ折り畳んだ形態に縮退することを許容する閉鎖要素を含む、ワゴン。
【請求項２６】
請求項２５に記載のワゴンにおいて、前記閉鎖要素は、前記折畳み式収納バッグの前記下側部分の回りに巻かれるスパイラルジッパを含む、ワゴン。
【請求項２７】
請求項１９に記載のワゴンにおいて、前記ワゴンの第二の側壁と係合し得るようにしたアクセサリバッグを更に備え、該アクセサリバッグは、少なくとも１つのボトルホルダを含む、ワゴン。
【請求項２８】
請求項２７に記載のワゴンにおいて、前記アクセサリバッグは、その間に中央通路が配置された１対のボトルホルダを含み、該中央通路は、前記ワゴンのハンドルを受け入れ得るようにした、ワゴン。
【請求項２９】
請求項１９に記載のワゴンにおいて、前記折畳み式収納バッグは、蓋と、後壁と、底部とを含み、前記収納バッグシステムは、
ｅ）前記折畳み式収納バッグの底部に装着されて、前記折畳み式収納バッグの前記折り畳んだ形態に相応する上昇位置と、前記折り畳み式収納バッグの前記拡張した形態に相応する、下降位置との間にて回動し得るように前記ワゴンに回動可能に装着し得るようにした、回動フレームと、
ｆ）前記折畳み式収納バッグの前記蓋に装着した蓋締結具と、
ｇ）前記折畳み式収納バッグの前記後壁に装着した後壁締結具と、
ｈ）前記折畳み式収納バッグの前記底部に装着した底部締結具と、を更に備え、
ｉ）前記蓋締結具は、前記底部締結具と係合し、前記折畳み式収納バッグを折り畳んだ形態に固定し得るようにされ、前記蓋締結具は、前記折畳み式収納バッグが拡張した形態にあるとき、前記後壁締結具と係合し得るようにされた、ワゴン。
【請求項３０】
請求項２９に記載のワゴンにおいて、前記折畳み式収納バッグは、前記蓋締結具及び前記後壁締結具が係合したとき、前記開いた頂部を塞ぎ得るようにした前記蓋を有する開いた頂部を含む、ワゴン。
【請求項３１】
請求項２９に記載のワゴンにおいて、前記蓋締結具は、挿入バックルであり、前記後壁及び底部締結具は、受け入れバックルである、ワゴン。
【請求項３２】
請求項２９に記載のワゴンにおいて、前記回動フレームは、全体としてＵ字形である、ワゴン。
【請求項３３】
後車軸を更に備える、請求項２９に記載のワゴンにおいて、前記回動フレームは、回動する態様にて前記ワゴンの前記後車軸と係合し得るようにした少なくとも１つのスリーブを含む、ワゴン。
【請求項３４】
後車軸を更に備える、請求項２９に記載のワゴンにおいて、前記回動フレームは、回動する態様にて前記ワゴンの前記後車軸と係合し得るようにした少なくとも１つの全体としてＣ字形の端部分を含む、ワゴン。
【請求項３５】
請求項２９に記載のワゴンにおいて、前記折畳み式収納バッグの前記底部は、前記回動フレームを受け入れ得るようにしたポケットを含む、ワゴン。
【請求項３６】
請求項２９に記載のワゴンにおいて、前記回動フレームは、下降位置にあるとき、前記ワゴンと係合して前記回動フレームの回動を制限するようしたストッパを含む、ワゴン。
【請求項３７】
請求項２９に記載のワゴンにおいて、前記折畳み式収納バッグは、フラップを含み、前記折畳み式収納バッグを前記ワゴンの前記側壁に固定するコネクタは、前記フラップに形成された穴と、該穴を貫通し且つ前記ワゴンの前記側壁と係合する締結具とを含む、ワゴン。
【請求項３８】
請求項１９に記載のワゴンにおいて、後側壁を含み、前記折畳み式収納バッグは、該後側壁に装着される、ワゴン。
【請求項３９】
後車軸を有するワゴンの収納システムにおいて、
ａ）開口部と、内側部分と、前記内側部分の壁を画定するパネルとを有する収納容器を備え、
ｂ）前記パネルは、上昇した位置と下降した位置との間で動くことができるように前記ワゴンの前記後車軸に回動可能に取り付けられるようになされており、前記内側部分は、前記パネルが前記下降した位置にあるときに前記開口部を介してアクセスすることができるようになされている、収納システム。
【請求項４０】
請求項３９に記載の収納システムにおいて、前記開口部は前記パネルに隣接している、収納システム。
【請求項４１】
請求項３９に記載の収納システムにおいて、前記ワゴンは後側壁を含み、前記パネルは、前記上昇した位置へ動くときに前記後側壁に向かって回転する、収納システム。
【請求項４２】
請求項３９に記載の収納システムにおいて、前記パネルは前記上昇した位置に前記パネルを固定するための締結具を有する、収納システム。
【請求項４３】
請求項３９に記載の収納システムにおいて、前記下降した位置にあるときに前記パネルの回転を制限するために、前記ワゴンと係合するようになされているストッパを備える、収納システム。
【請求項４４】
ワゴンであって、
ａ）本体、
ｂ）後車軸により前記本体に固定される一対の後車輪、および
ｃ）開口部と、内側部分と、前記内側部分の壁を画定するパネルとを有する収納容器を備え、
ｄ）前記パネルは、上昇した位置と下降した位置との間で動くことができるように前記後車軸に回動可能に取り付けられ、前記内側部分は、前記パネルが前記下降した位置にあるときに前記開口部を介してアクセスすることができるようになされている、ワゴン。
【請求項４５】
請求項４４に記載のワゴンにおいて、前記開口部は前記パネルに隣接している、ワゴン。
【請求項４６】
請求項４４に記載のワゴンにおいて、前記本体は後側壁を含み、前記パネルは、前記上昇した位置へ動くときに前記後側壁に向かって回転する、ワゴン。
【請求項４７】
請求項４４に記載のワゴンにおいて、前記パネルは、前記上昇した位置に前記パネルを固定するための締結具を有する、ワゴン。
【請求項４８】
請求項４４に記載のワゴンにおいて、前記下降した位置にあるときに前記パネルの回転を制限するために、前記ワゴンと係合するようになされているストッパを備える、ワゴン。